(57)【特許請求の範囲】
【請求項１】
装置本体と、当該装置本体に連結可能な第１ユニット部および第２ユニット部とを備えて物理量を測定可能に構成され、
前記装置本体は、略直方体状の本体部と、当該本体部の背面から直角な向きに突出形成されて前記各ユニット部を支持する支持部とを備え、
前記支持部は、前記本体部の前記背面に対して平行な第１の向きに沿った前記第１ユニット部の押し付けによって当該第１ユニット部の底部に配設されている第１コネクタが接続される第２コネクタが上面に配設されて当該両コネクタの接続によって当該上面側に連結された当該第１ユニット部を支持すると共に、前記本体部の前記背面に対して直交する第２の向きに沿った前記第２ユニット部の押し付けによって当該第２ユニット部の前面に配設されている第３コネクタが接続される第４コネクタが後端面に配設されて当該両コネクタの接続によって当該後端面側に連結された当該第２ユニット部を支持可能に構成されている測定装置。
【請求項２】
前記本体部の前記背面には、嵌め込み孔が形成され、
前記本体部の前記背面に対向する前記第１ユニット部の前面には、前記第１の向きに沿った当該第１ユニット部の押し付けによって前記嵌め込み孔に嵌め込まれる突起部が配設されている請求項１記載の測定装置。
【請求項３】
前記第１ユニット部は、電気信号を入力するための端子を有する端子台を備えて構成され、
前記第２ユニット部は、端子台と、当該端子台が接続されるベース部とを備えて構成され、
前記第１ユニット部および前記第２ユニット部における各々の前記端子台は、互いに同じ形状に形成されている請求項１または２記載の測定装置。
【請求項４】
前記第１ユニット部の前記端子台と前記第２ユニット部の前記端子台とを連結する連結金具を備えている請求項３記載の測定装置。
【請求項５】
前記各端子台は、回動可能に当該端子台に取り付けられて当該端子台の上部を開閉するカバーを備え、
前記カバーには、前記端子台の上部を開放するように回動させる際に隣接する他の前記端子台のカバーとの接触を回避するための凹部が形成されている請求項３または４記載の測定装置。
【発明の詳細な説明】
【技術分野】
【０００１】
本発明は、装置本体と装置本体に連結可能なユニット部とを備えた測定装置に関するものである。
【背景技術】
【０００２】
測定する物理量の種類などに応じて複数のユニットを連結して使用する測定装置（例えば、特開２００８−２６７４２４号公報において出願人が開示したユニット機器）が知られている。この測定装置は、例えば測定場所に設置して使用する据え置き型の測定装置であって、複数のユニットを並べた状態で隣接するユニット同士をねじや連結金具を用いて連結することにより、任意の数のユニットを連結することが可能となっている。また、出願人は、装置本体と、装置本体に対して着脱可能な端子台ユニットとを備えた携帯型の測定装置を開発している。この測定装置では、例えば、センサを用いて測定を行うときには、装置本体の側面に設けられているコネクタと端子台ユニットのコネクタとの接続およびねじ止めによって端子台ユニットを装置本体に連結し、端子台ユニット部に設けられている端子にセンサを接続する。この測定装置では、端子台ユニット部を装置本体に連結することで、十分な堅牢性を維持しつつセンサを用いての測定を行うことが可能となっている。
【先行技術文献】
【特許文献】
【０００３】
【特許文献１】特開２００８−２６７４２４号公報（第４頁、第１図）
【発明の概要】
【発明が解決しようとする課題】
【０００４】
ところが、上記の測定装置には、以下の課題がある。すなわち、上記した携帯型の測定装置では、装置本体に連結可能な端子台ユニット部が１つだけに限られている。このため、この携帯型の測定装置では、数多くのセンサを用いての測定に対応することが困難となっている。この場合、上記した据え置き型の測定装置における連結方式、すなわち、装置本体の側面に連結した１つ目の端子台ユニットの側面に、２つ目の端子台ユニットをコネクタの接続およびねじ止めによってさらに連結する方式を採用した構成も考えられる。しかしながら、この構成では、２つ目の端子台ユニットが装置本体によって直接支持されていないため、各端子台ユニットがその重みによって撓んで堅牢性が損なわれ、装置本体と端子台ユニットとが分離しないように注意して運搬・使用しなくてはならず、これによって運搬作業・測定作業の作業効率が低下するという課題があり、この点の改善が望まれている。
【０００５】
本発明は、かかる解決すべき課題に鑑みてなされたものであり、十分な堅牢性を維持しつつ多くのユニットを連結し得る測定装置を提供することを主目的とする。
【課題を解決するための手段】
【０００６】
上記目的を達成すべく請求項１記載の測定装置は、装置本体と、当該装置本体に連結可能な第１ユニット部および第２ユニット部とを備えて物理量を測定可能に構成され、前記装置本体は、略直方体状の本体部と、当該本体部の背面から直角な向きに突出形成されて前記各ユニット部を支持する支持部とを備え、前記支持部は、前記本体部の前記背面に対して平行な第１の向きに沿った前記第１ユニット部の押し付けによって当該第１ユニット部の底部に配設されている第１コネクタが接続される第２コネクタが上面に配設されて当該両コネクタの接続によって当該上面側に連結された当該第１ユニット部を支持すると共に、前記本体部の前記背面に対して直交する第２の向きに沿った前記第２ユニット部の押し付けによって当該第２ユニット部の前面に配設されている第３コネクタが接続される第４コネクタが後端面に配設されて当該両コネクタの接続によって当該後端面側に連結された当該第２ユニット部を支持可能に構成されている。
【０００７】
また、請求項２記載の測定装置は、請求項１記載の測定装置において、前記本体部の前記背面には、嵌め込み孔が形成され、前記本体部の前記背面に対向する前記第１ユニットの前面には、前記第１の向きに沿った当該第１ユニット部の押し付けによって前記嵌め込み孔に嵌め込まれる突起部が配設されている。
【０００８】
また、請求項３記載の測定装置は、請求項１または２記載の測定装置において、前記第１ユニットは、電気信号を入力するための端子を有する端子台を備えて構成され、前記第２ユニットは、端子台と、当該端子台が接続されるベース部とを備えて構成され、前記第１ユニットおよび前記第２ユニットにおける各々の前記端子台は、互いに同じ形状に形成されている。
【０００９】
また、請求項４記載の測定装置は、請求項３記載の測定装置において、前記第１ユニットの前記端子台と前記第２ユニットの前記端子台とを連結する連結金具を備えている。
【００１０】
また、請求項５記載の測定装置は、請求項３または４記載の測定装置において、前記各端子台は、回動可能に当該端子台に取り付けられて当該端子台の上部を開閉するカバーを備え、前記カバーには、前記端子台の上部を開放するように回動させる際に隣接する他の前記端子台のカバーとの接触を回避するための凹部が形成されている。
【発明の効果】
【００１１】
請求項１記載の測定装置では、本体部の背面から直角な向きに支持部が突出形成され、支持部が、支持部の上面に配設した第２コネクタと第１ユニット部の底部に配設した第１コネクタとの接続によって上面側に連結された第１ユニット部を支持する。したがって、この測定装置によれば、連結された第１ユニット部が装置本体の一部としての支持部によって底面側から支持される結果、第１ユニット部をコネクタの接続およびねじ止めだけで装置本体の側面に連結する構成（つまり従来の構成）、と比較して、第１ユニット部を装置本体に対してより十分な強度で連結させることができる。また、この測定装置では、支持部が、支持部の後端面に配設した第４コネクタと第２ユニットの前面に配設した第３コネクタとの接続によって後端面側に連結された第２ユニットを支持する。つまり、この測定装置では、第２ユニットが第１端子台ユニットを介さずに、装置本体の一部としての支持部に直接連結されて、支持部によって直接支持される。このため、この測定装置では、コネクタの接続およびねじ止めだけで装置本体の側面に連結している第１ユニット部に対して、さらに第２ユニットをコネクタの接続およびねじ止めだけで連結する構成、つまり第２ユニットが装置本体によって直接支持されていない構成とは異なり、重みによる各端子台ユニットの撓みを低く抑えることができる。したがって、この測定装置によれば、十分な堅牢性を維持しつつ従来よりも多くのユニットを連結することができる。
【００１２】
請求項２記載の測定装置では、嵌め込み孔が本体部の背面に形成され、第１の向きに沿った第１ユニット部の押し付けによって嵌め込み孔に嵌め込まれる突起部が第１ユニット部の前面に配設されている。このため、この測定装置によれば、突起部が嵌め込み孔に嵌め込まれることで、第１ユニット部が本体部によっても支持される結果、第１ユニット部を装置本体に対してさらに十分な強度で連結させることができる。
【００１３】
請求項３記載の測定装置によれば、第１ユニット部の端子台および第２ユニットの端子台を同じ形状に形成したことにより、両ユニットの端子台を共通化することができるため、その分、端子台の製造コスト、ひいては測定装置の製造コストを低減させることができる。
【００１４】
請求項４記載の測定装置によれば、第１ユニット部の端子台と第２ユニットの端子台とを連結する連結金具を備えたことにより、両ユニットの端子台同士を連結金具を介して連結することができるため、第１ユニット部に対する第２ユニットの移動を確実に規制することができる結果、装置本体に対する第２ユニットの撓みをさらに低く抑えることができる。
【００１５】
請求項５記載の測定装置によれば、端子台の上部を開閉するカバーを回動可能に端子台に取り付け、端子台の上部を開放するように回動させる際に隣接する他の端子台のカバーとの接触を回避するための凹部をカバーに形成したことにより、カバーの回動が妨げられることなく端子台の上部が十分に広く開放される結果、端子への信号線の接続作業を容易に行うことができる。
【図面の簡単な説明】
【００１６】
【図１】測定装置１の構成を示す斜視図である。
【図２】装置本体２の構成を示す斜視図である。
【図３】第１端子台ユニット３ａ，３ｂの構成を示す斜視図である。
【図４】第１端子台ユニット３ａ，３ｂを底面３１ａ側から見た斜視図である。
【図５】第２端子台ユニット４ａ，４ｂの構成を示す斜視図である。
【図６】ベース部４３の構成を示す斜視図である。
【図７】装置本体２に第１端子台ユニット３ａ，３ｂを連結した状態の斜視図である。
【図８】測定装置１の平面図である。
【図９】測定装置１の使用方法を説明する第１の説明図である。
【図１０】測定装置１の使用方法を説明する第２の説明図である。
【発明を実施するための形態】
【００１７】
以下、本発明に係る測定装置の実施の形態について、添付図面を参照して説明する。
【００１８】
最初に、測定装置１の構成について説明する。図１に示す測定装置１は、測定装置の一例であって、装置本体２、第１端子台ユニット３ａ，３ｂ（第１ユニット部の一例であって、以下、区別しないときには「第１端子台ユニット３」ともいう）、および第２端子台ユニット４ａ，４ｂ（第２ユニット部の一例であって、以下、区別しないときには「第２端子台ユニット４」ともいう）を備えて、電流、電圧および温度などの各種の物理量を測定可能に構成されている。
【００１９】
装置本体２は、図２に示すように、本体部１１および支持部１２を備えて構成されている。本体部１１は、薄形の略直方体状に構成されて、物理量の測定に必要な電源回路や測定回路等の主要部品（図示せず）がその内部に収容されている。また、本体部１１の上面１１ａには、測定結果を示す画面や設定用の画面などを表示する表示部２１（一例として、液晶パネル）が配設されると共に、各種の操作を行うための操作ボタンで構成された操作部２２が配設されている。
【００２０】
また、図２に示すように、本体部１１の側面１１ｂ（測定装置１を水平にした使用状態（図８参照）において使用者から見て左側に位置する側面）には、測定に際して用いるセンサに対して電源を供給するための端子２３が配設されている。さらに、同図に示すように、本体部１１の側面１１ｃ（測定装置１を水平にした使用状態において使用者から見て右側に位置する側面）には、外部装置との間でデータ（電気信号）を送受信するためのコネクタ２４が配設されている。また、図２に示すように、本体部１１の背面１１ｄ（測定装置１を水平にした使用状態において使用者から見て奥側に位置する側面）には、第１端子台ユニット３に配設されている後述する突起部３１ｄが嵌め込まれる嵌め込み孔１１ｅが形成されている。
【００２１】
支持部１２は、図２に示すように、略長方形の板状に構成されて、本体部１１の背面１１ｄから直角な向きに突出するように本体部１１に一体形成されている。この場合、支持部１２は、各端子台ユニット３，４を連結させると共に、連結した各端子台ユニット３，４を支持する機能を有している。また、支持部１２の上面１２ａには、コネクタ１０２（第２コネクタ）が配設されている。このコネクタ１０２は、第１端子台ユニット３を装置本体２（支持部１２）に連結する際に、本体部１１の背面１１ｄに対して平行な第１の向き（測定装置１を水平にした状態における垂直な向きであって、同図に示す矢印Ａの向き）に沿った第１端子台ユニット３の押し付けによって第１端子台ユニット３における後述する端子台３１の底面３１ａ（底部）に配設されているコネクタ１０１（第１コネクタ）に接続される。
【００２２】
また、図２に示すように、支持部１２には、連結した第１端子台ユニット３を固定するための図外のねじを挿通させる挿通孔１２ｄ、および連結した第２端子台ユニット４を固定するためのねじ３０１（図５参照）がねじ込まれるねじ穴１２ｅが形成されている。また、図７に示すように、支持部１２における後端部（突出方向における先端部）の端面１２ｂ（後端面）には、コネクタ１０４（第４コネクタ）が配設されている。このコネクタ１０４は、第２端子台ユニット４の装置本体２への連結の際に、本体部１１の背面１１ｄに対して直交する第２の向き（測定装置１を水平にした状態における水平な向きであって、同図に示す矢印Ｂの向き）に沿った第２端子台ユニット４の押し付けによって第２端子台ユニット４における後述するベース部４３の前面５１ｂに配設されているコネクタ１０３（第３コネクタ）に接続される。
【００２３】
第１端子台ユニット３は、図３，４に示すように、略直方体状の端子台３１、コネクタ１０１およびカバー３２を備えて構成されている。端子台３１の上部には、図外のセンサの信号線等を接続して電気信号を入力するための複数の端子２０１が配設されている。また、図４に示すように、端子台３１の底面３１ａには、ねじ穴３１ｂが形成されている。さらに、端子台３１の前面３１ｃには、第１端子台ユニット３を装置本体２に連結する際に、矢印Ａの向きに沿った第１端子台ユニット３の押し付けによって本体部１１の背面１１ｄに形成されている嵌め込み孔１１ｅに嵌め込まれる突起部３１ｄが配設されている。また、図３に示すように、端子台３１の背面３１ｅには、後述する連結金具５３の先端部が挿入可能な挿入孔３１ｆが形成されている。
【００２４】
コネクタ１０１は、図４に示すように、端子台３１の底面３１ａに配設されている。カバー３２は、図３に示すように、端子台３１の上部に回動可能に配設され、端子台３１の上部を開閉する。また、カバー３２には、凹部３２ａが形成されている。
【００２５】
第２端子台ユニット４は、図５に示すように、第１端子台ユニット３を構成する上記した端子台３１、コネクタ１０１（図５には図示せず）およびカバー３２を備えると共に、ベース部４３およびコネクタ１０３を備えて構成されている。つまり、第１端子台ユニット３および第２端子台ユニット４をそれぞれ構成する端子台３１、コネクタ１０１およびカバー３２は互いに同じ形状に形成されている。
【００２６】
ベース部４３は、端子台３１を装置本体２（支持部１２）に連結するための部材であって、図６に示すように、基台５１と基台５１に立設された柱状部５２とを備えて、端子台３１を取り付け可能に構成されている。この場合、基台５１の上面５１ａには、端子台３１の底面３１ａに配設されたコネクタ１０１に接続されるコネクタ１０５が配設されている。また、基台５１には、図５に示すように、ベース部４３（第２端子台ユニット４）を支持部１２（装置本体２）に固定するためのねじ３０１を挿通させる挿通孔５１ｄが形成されると共に、図６に示すように、基台５１（ベース部４３）に取り付けた端子台３１を固定するための図外のねじを挿通させる挿通孔５１ｃが形成されている。また、同図に示すように、柱状部５２の頂部には、連結金具５３（図５参照）をねじ止めするためのねじ穴５２ａが形成されている。コネクタ１０３は、基台５１の前面５１ｂ（第２端子台ユニット４の前面に相当する）に配設されている。
【００２７】
次に、装置本体２に対する各端子台ユニット３ａ，３ｂ，４ａ，４ｂの連結方法について、図面を参照して説明する。
【００２８】
まず、第１端子台ユニット３ａを装置本体２に連結する。具体的には、装置本体２における支持部１２の上面１２ａ（図２参照）と第１端子台ユニット３ａにおける端子台３１の底面３１ａとを対向させた状態で、同図および図７に示す矢印Ａの向きに沿って第１端子台ユニット３ａを支持部１２の上面１２ａに向けて押し付ける。この際に、端子台３１の前面３１ｃに配設されている突起部３１ｄが本体部１１の背面１１ｄに形成されている嵌め込み孔１１ｅに嵌め込まれる。また、端子台３１の底面３１ａに配設されているコネクタ１０１と支持部１２の上面１２ａに配設されているコネクタ１０２とが接続される。次いで、支持部１２に形成されている挿通孔１２ｄに挿通させた図外のねじを端子台３１の底面３１ａに形成されているねじ穴３１ｂにねじ込む。これにより、第１端子台ユニット３ａが装置本体２に連結される。続いて、同様の手順で、第１端子台ユニット３ｂを装置本体２に連結する。
【００２９】
この場合、この測定装置１では、本体部１１に一体形成されている支持部１２の上面１２ａ側に第１端子台ユニット３ａ，３ｂが連結されるため、連結された第１端子台ユニット３ａ，３ｂが装置本体２の一部としての支持部１２によって支持されている。このため、この測定装置１では、第１端子台ユニット３ａ，３ｂをコネクタ１０１，１０２の接続およびねじ止めだけで装置本体２の側面に連結する構成（つまり、従来の構成）と比較して、第１端子台ユニット３ａ，３ｂが装置本体２に対してより十分な強度で連結される。
【００３０】
次いで、端子台３１をベース部４３に取り付けて第２端子台ユニット４ａを組み立てる。具体的には、端子台３１の底面３１ａ（図４参照）とベース部４３における基台５１の上面５１ａ（図６参照）とを対向させた状態で、端子台３１を基台５１の上面５１ａに向けて押し付ける。この際に、端子台３１の底面３１ａに配設されているコネクタ１０１と基台５１の上面５１ａに配設されているコネクタ１０５とが接続される。続いて、基台５１に形成されている挿通孔５１ｄに図外のねじを挿通させて、端子台３１の底面３１ａに形成されているねじ穴３１ｂに図外のねじをねじ込んで、ベース部４３に対して端子台３１を固定する。これにより、図５に示すように、第２端子台ユニット４ａが組み立てられる。次いで、同様にして第２端子台ユニット４ｂを組み立てる。
【００３１】
続いて、第２端子台ユニット４ａを装置本体２に連結する。具体的には、装置本体２における支持部１２の端面１２ｂと第２端子台ユニット４ａにおけるベース部４３（基台５１）の前面５１ｂとを対向させた状態で、図７に示す矢印Ｂの向きに沿って第２端子台ユニット４ａを支持部１２の端面１２ｂに向けて押し付ける。この際に、ベース部４３における基台５１の前面５１ｂに配設されているコネクタ１０３と支持部１２の端面１２ｂに配設されているコネクタ１０４とが接続される。次いで、基台５１に形成されている挿通孔５１ｃに挿通させたねじ３０１を支持部１２の端面１２ｂに形成されているねじ穴１２ｅにねじ込む。これにより、第２端子台ユニット４ａが装置本体２に連結される。続いて、同様の手順で、第２端子台ユニット４ｂを装置本体２に連結する。
【００３２】
この場合、この測定装置１では、本体部１１に一体形成されている支持部１２の端面１２ｂ側に第２端子台ユニット４ａ，４ｂが連結される。つまり、この測定装置１では、第２端子台ユニット４ａ，４ｂが第１端子台ユニット３ａ，３ｂを介さずに、装置本体２の一部としての支持部１２に直接連結されて、支持部１２によって直接支持される。このため、この測定装置１では、コネクタ１０１，１０２の接続およびねじ止めだけで装置本体２の側面に連結している第１端子台ユニット３ａ，３ｂに対して、さらに第２端子台ユニット４ａ，４ｂをコネクタの接続およびねじ止めだけで連結する構成、つまり第２端子台ユニット４ａ，４ｂが装置本体２によって直接支持されていない構成とは異なり、重みによる各端子台ユニット３ａ，３ｂ，４ａ，４ｂの撓みが低く抑えられている。したがって、この測定装置１では、十分な堅牢性を維持しつつ従来よりも多くの端子台ユニット３，４を連結することが可能となっている。
【００３３】
次いで、図８に示すように、第１端子台ユニット３ａ，３ｂにおける端子台３１の背面３１ｅに形成されている挿入孔３１ｆに連結金具５３の先端部を挿入させた状態で、第２端子台ユニット４ａ，４ｂのベース部４３における柱状部５２の頂部に連結金具５３をねじ止めする。この際に、第１端子台ユニット３の端子台３１と第２端子台ユニット４の端子台３１とが連結金具５３を介して連結されるため、第１端子台ユニット３に対する第２端子台ユニット４の移動が規制される結果、装置本体２に対する第２端子台ユニット４の撓みがさらに低く抑えられる。以上により、装置本体２に対する各端子台ユニット３ａ，３ｂ，４ａ，４ｂの連結が完了する。
【００３４】
一方、装置本体２に対する各端子台ユニット３ａ，３ｂ，４ａ，４ｂの連結が完了した測定装置１を用いて、例えば温度測定を行うときには、各端子台ユニット３ａ，３ｂ，４ａ，４ｂに温度センサの信号線を接続する。具体的には、例えば図９に示すように、第２端子台ユニット４ａのカバー３２を回動させて端子台３１の上部を開放する。この場合、この測定装置１では、カバー３２に凹部３２ａが形成されているため、図１０に示すように、端子台３１の上部を開放するようにカバー３２を回動させる際に、隣接する第１端子台ユニット３ａのカバー３２との接触が回避される。このため、第２端子台ユニット４ａのカバー３２の回動が妨げられることなく第２端子台ユニット４ａの端子台３１の上部が十分に広く開放される結果、端子２０１への信号線の接続作業を容易に行うことが可能となっている。続いて、予め決められた手順に従って操作部２２を操作して測定を行う。この測定装置１では、上記したように、多くの端子台ユニット３，４が連結されているため、数多くのセンサを用いての測定に対応することが可能となっている。また、十分な堅牢性が維持されているため、測定場所を移動して行う測定作業等における作業効率を十分に高めることが可能となる。
【００３５】
このように、この測定装置１では、本体部１１の背面１１ｄから直角な向きに支持部１２が突出形成され、支持部１２が、支持部１２の上面１２ａに配設したコネクタ１０２と第１端子台ユニット３の底面３１ａに配設したコネクタ１０１との接続によって上面１２ａ側に連結された第１端子台ユニット３を支持する。したがって、この測定装置１によれば、連結された第１端子台ユニット３が装置本体２の一部としての支持部１２によって底面３１ａ側から支持される結果、第１端子台ユニット３をコネクタ１０１，１０２の接続およびねじ止めだけで装置本体２の側面に連結する構成（つまり、従来の構成）と比較して、第１端子台ユニット３を装置本体２に対してより十分な強度で連結させることができる。また、この測定装置１では、支持部１２が、支持部１２の先端部の端面１２ｂに配設したコネクタ１０４と第２端子台ユニット４の前面５１ｂに配設したコネクタ１０３との接続によって端面１２ｂ側に連結された第２端子台ユニット４を支持する。つまり、この測定装置１では、第２端子台ユニット４が第１端子台ユニット３を介さずに、装置本体２の一部としての支持部１２に直接連結されて、支持部１２によって直接支持される。このため、この測定装置１では、コネクタ１０１，１０２の接続およびねじ止めだけで装置本体２の側面に連結している第１端子台ユニット３に対して、さらに第２端子台ユニット４をコネクタの接続およびねじ止めだけで連結する構成、つまり第２端子台ユニット４が装置本体２によって直接支持されていない構成とは異なり、重みによる各端子台ユニット３，４の撓みを低く抑えることができる。したがって、この測定装置１によれば、十分な堅牢性を維持しつつ従来よりも多くの端子台ユニット３，４を連結することができる。
【００３６】
また、この測定装置１では、嵌め込み孔１１ｅが本体部１１の背面１１ｄに形成され、第１の向きに沿った第１端子台ユニット３の押し付けによって嵌め込み孔１１ｅに嵌め込まれる突起部３１ｄが第１端子台ユニット３の前面３１ｃに配設されている。このため、この測定装置１によれば、突起部３１ｄが嵌め込み孔１１ｅに嵌め込まれることで、第１端子台ユニット３が本体部１１によっても支持される結果、第１端子台ユニット３を装置本体２に対してさらに十分な強度で連結させることができる。
【００３７】
また、この測定装置１によれば、第１端子台ユニット３の端子台３１および第２端子台ユニット４の端子台３１を同じ形状に形成したことにより、両端子台ユニット３，４の端子台３１を共通化することができるため、その分端子台３１の製造コスト、ひいては測定装置１の製造コストを低減させることができる。
【００３８】
さらに、この測定装置１によれば、第１端子台ユニット３の端子台３１と第２端子台ユニット４の端子台３１とを連結する連結金具５３を備えたことにより、両端子台ユニット３，４の端子台３１同士を連結金具５３を介して連結することができるため、第１端子台ユニット３に対する第２端子台ユニット４の移動を確実に規制することができる結果、装置本体２に対する第２端子台ユニット４の撓みをさらに低く抑えることができる。
【００３９】
また、この測定装置１によれば、端子台３１の上部を開閉するカバー３２を回動可能に端子台３１に取り付け、端子台３１の上部を開放するように回動させる際に隣接する他の端子台３１のカバー３２との接触を回避するための凹部３２ａをカバー３２に形成したことにより、カバー３２の回動が妨げられることなく端子台３１の上部が十分に広く開放される結果、端子２０１への信号線の接続作業を容易に行うことができる。
【００４０】
なお、４つの端子台ユニット（第１端子台ユニット３ａ，３ｂおよび第２端子台ユニット４ａ，４ｂ）を装置本体２に連結して使用する例について上記したが、これらのうちの任意の端子台だけを装置本体２に連結して使用することもできる。また、第１端子台ユニット３ａ，３ｂおよび第２端子台ユニット４ａ，４ｂの一部またはすべてに代えて、カバー３２を備えていないユニットや、端子台３１を備えていないユニット（端子台３１に代えて、センサや電気回路を備えたユニット）を採用することもできる。
【００４１】
また、第１端子台ユニット３の端子台３１と第２端子台ユニット４の端子台３１とを同様に構成した（同じ形状とした）例について上記したが第１端子台ユニット３と第２端子台ユニット４とを異なる構成とする（異なる形状とする）こともできる。
【符号の説明】
【００４２】
１  測定装置
２  装置本体
３ａ，３ｂ  第１端子台ユニット
４ａ，４ｂ  第２端子台ユニット
１１  本体部
１１ｄ  背面
１１ｅ  嵌め込み孔
１２  支持部
１２ａ  上面
１２ｂ  端面
３１  端子台
３１ａ  底面
３１ｃ  前面
３１ｄ  突起部
３１ｆ  挿入孔
３２  カバー
３２ａ  凹部
４３  ベース部
５１ｂ  前面
５３  連結金具
１０１〜１０４  コネクタ
２０１  端子
【図１】
0005394287.tif 000002
【図２】
0005394287.tif 000003
【図３】
0005394287.tif 000004
【図４】
0005394287.tif 000005
【図５】
0005394287.tif 000006
【図６】
0005394287.tif 000007
【図７】
0005394287.tif 000008
【図８】
0005394287.tif 000009
【図９】
0005394287.tif 000010
【図１０】
0005394287.tif 000011